(57)【要約】【課題】情報の登録及び閲覧において、ユーザの利便性を向上させることが可能な情報記憶装置を提供する。【解決手段】情報記憶装置は、情報を、前記情報の登録処理開始時の画面と関連付けて記憶部に記憶させるか、前記情報の登録処理開始時の画面と関連付けないで前記記憶部に記憶させるかをユーザの操作に応じて選択する選択部と、表示部と、前記表示部を制御する制御部とを備える。前記制御部は、前記記憶部において前記情報と関連付けられている画面を前記表示部に表示させる場合には、前記表示部に表示させる画面と関連付けられている前記情報も前記表示部に表示させ、前記記憶部において画面と関連付けられていない情報を前記表示部に表示させる場合には、前記表示部に表示させる情報の登録処理開始時の画面とは別の画面において前記情報を前記表示部に表示させる。【選択図】図３
2014026577.tif 000002
【特許請求の範囲】
【請求項１】
情報を、前記情報の登録処理開始時の画面と関連付けて記憶部に記憶させるか、前記情報の登録処理開始時の画面と関連付けないで前記記憶部に記憶させるかをユーザの操作に応じて選択する選択部と、
表示部と、
前記表示部を制御する制御部とを備え、
前記制御部は、
前記記憶部において前記情報と関連付けられている画面を前記表示部に表示させる場合には、前記表示部に表示させる画面と関連付けられている前記情報も前記表示部に表示させ、
前記記憶部において画面と関連付けられていない情報を前記表示部に表示させる場合には、前記表示部に表示させる情報の登録処理開始時の画面とは別の画面において前記情報を前記表示部に表示させることを特徴とする情報記憶装置。
【請求項２】
前記情報は、文章メモ、音声メモ、及び画像メモの少なくとも一つを含む請求項１に記載の情報記憶装置。
【請求項３】
前記情報の登録処理開始時の画面と関連付けて前記記憶部に記憶される情報は、１画面に対して１件である請求項１または請求項２に記載の情報記憶装置。
【請求項４】
前記情報の登録処理開始時の画面と関連付けないで前記記憶部に記憶される情報は、登録毎に別々の情報として記憶される請求項１〜３のいずれか１項に記載の情報記憶装置。
【請求項５】
前記情報の登録処理開始時の画面と関連付けないで前記記憶部に記憶される情報は、登録時の状況を示す附属情報が附属されて前記記憶部に記憶される請求項１〜４のいずれか１項に記載の情報記憶装置。
【請求項６】
コンピュータを情報記憶装置として機能させるプログラムであって、
前記情報記憶装置は、
情報を、前記情報の登録処理開始時の画面と関連付けて記憶部に記憶させるか、前記情報の登録処理開始時の画面と関連付けないで前記記憶部に記憶させるかをユーザの操作に応じて選択する選択部と、
表示部と、
前記表示部を制御する制御部とを備え、
前記制御部は、
前記記憶部において前記情報と関連付けられている画面を前記表示部に表示させる場合には、前記表示部に表示させる画面と関連付けられている前記情報も前記表示部に表示させ、
前記記憶部において画面と関連付けられていない情報を前記表示部に表示させる場合には、前記表示部に表示させる情報の登録処理開始時の画面とは別の画面において前記情報を前記表示部に表示させる装置であることを特徴する情報記憶プログラム。
【発明の詳細な説明】
【技術分野】
【０００１】
本発明は、文章メモ等の情報を記憶する情報記録装置およびコンピュータを文章メモ等の情報を記憶する情報記録装置として機能させるための情報記録プログラムに関する。
【背景技術】
【０００２】
特許文献１で提案されている携帯電話は、使用中の画面において定型フォーマットのメモを入力でき、入力されたメモをメモ入力時に使用中の画面と関連付けて登録し、登録されているメモに関連付けされている所定の画面を表示する場合には所定の画面とともにメモを表示する。その結果、特許文献１で提案されている情報付加装置（例えば携帯電話）は、所定の画面に対応するメモをユーザに分かりやすく報知することができる。
【先行技術文献】
【特許文献】
【０００３】
【特許文献１】特許第４６８９４８８号公報
【発明の概要】
【発明が解決しようとする課題】
【０００４】
しかしながら、使用中の画面とは無関係に思い出した内容、使用中の画面とは無関係に思いついた内容、使用中の画面とは無関係な内容の目に入ってきた情報などをメモとして記憶しておきたいときがある。このような場合に、ユーザは、特許文献１で提案されている携帯電話を用いてメモを取ろうと思えば、メモと使用中の画面とが関連付けられることを防ぐために、専用のメモ機能画面などに画面遷移してからメモ入力を開始する必要があり、不便である。
【０００５】
また、特許文献１で提案されている携帯電話が専用のメモ機能画面などを備えていない場合には、特許文献１で提案されている携帯電話において、本来所定の画面とは無関係な内容のメモが仕方なく所定の画面と関連付けられて登録されることになる。この場合、ユーザは、本来所定の画面とは無関係な内容のメモを見ようと思えば、所定の画面をわざわざ表示させる必要があり、不便である。
【０００６】
本発明は、上記の状況に鑑み、情報の登録及び閲覧において、ユーザの利便性を向上させることが可能な情報記憶装置及び情報記憶プログラムを提供することを目的とする。
【課題を解決するための手段】
【０００７】
上記目的を達成するために本発明に係る情報記憶装置は、情報を、前記情報の登録処理開始時の画面と関連付けて記憶部に記憶させるか、前記情報の登録処理開始時の画面と関連付けないで前記記憶部に記憶させるかをユーザの操作に応じて選択する選択部と、表示部と、前記表示部を制御する制御部とを備え、前記制御部は、前記記憶部において前記情報と関連付けられている画面を前記表示部に表示させる場合には、前記表示部に表示させる画面と関連付けられている前記情報も前記表示部に表示させ、前記記憶部において画面と関連付けられていない情報を前記表示部に表示させる場合には、前記表示部に表示させる情報の登録処理開始時の画面とは別の画面において前記情報を前記表示部に表示させる構成（第１の構成）とする。
【０００８】
上記第１の構成の情報記憶装置において、前記情報は、文章メモ、音声メモ、及び画像メモの少なくとも一つを含む構成（第２の構成）であることが好ましい。
【０００９】
上記第１又は第２の構成の情報記憶装置において、前記情報の登録処理開始時の画面と関連付けて前記記憶部に記憶される情報は、１画面に対して１件である構成（第３の構成）であることが好ましい。
【００１０】
上記第１〜第３のいずれかの構成の情報記憶装置において、前記情報の登録処理開始時の画面と関連付けないで前記記憶部に記憶される情報は、登録毎に別々の情報として記憶される構成（第４の構成）であることが好ましい。
【００１１】
上記第１〜第４のいずれかの構成の情報記憶装置において、前記情報の登録処理開始時の画面と関連付けないで前記記憶部に記憶される情報は、登録時の状況を示す附属情報が附属されて前記記憶部に記憶される構成（第５の構成）であることが好ましい。
【００１２】
上記目的を達成するために本発明に係る情報記憶プログラムは、コンピュータを情報記憶装置として機能させるプログラムであって、前記情報記憶装置は、情報を、前記情報の登録処理開始時の画面と関連付けて記憶部に記憶させるか、前記情報の登録処理開始時の画面と関連付けないで前記記憶部に記憶させるかをユーザの操作に応じて選択する選択部と、表示部と、前記表示部を制御する制御部とを備え、前記制御部は、前記記憶部において前記情報と関連付けられている画面を前記表示部に表示させる場合には、前記表示部に表示させる画面と関連付けられている前記情報も前記表示部に表示させ、前記記憶部において画面と関連付けられていない情報を前記表示部に表示させる場合には、前記表示部に表示させる情報の登録処理開始時の画面とは別の画面において前記情報を前記表示部に表示させる装置である構成とする。
【発明の効果】
【００１３】
本発明によると、登録処理開始時の画面と関連付けして表示させたい情報は特許文献１の携帯電話と同じように、登録処理開始時の画面と一緒に表示させることができるとともに、登録処理開始時の画面と関連付ける必要の無い情報は登録処理開始時の画面に遷移せずに閲覧することが可能となるので、特許文献１の携帯電話に比べて、情報の閲覧において、ユーザの利便性を向上させることができる。また、登録処理開始時の画面と関連付ける必要の無い情報については、登録処理の開始可能な画面が表示されてさえいれば、専用のメモ機能画面などに遷移せずに登録処理を開始することができるので、情報の登録において、ユーザの利便性を向上させることができる。
【図面の簡単な説明】
【００１４】
【図１】本発明の第１実施形態に係る情報記憶装置の概略構成を示すブロック図である。
【図２】本発明の第１実施形態に係る情報記憶装置の画面遷移を説明するための図である。
【図３】本発明の第１実施形態に係る情報記憶装置が実行するメモ登録処理の一例の流れを示すフローチャートである。
【図４】画面例を示す図である。
【図５】画面例を示す図である。
【図６】画面例を示す図である。
【図７】画面例を示す図である。
【図８】画面例を示す図である。
【図９】関連付け登録に関するデータテーブルを示す図である。
【図１０】画面例を示す図である。
【図１１】「関連無しメモ」のデータベース構造例を示す図である。
【図１２】画面例を示す図である。
【図１３】画面例を示す図である。
【図１４】画面例を示す図である。
【図１５】画面例を示す図である。
【図１６】画面例を示す図である。
【発明を実施するための形態】
【００１５】
本発明の実施形態について図面を参照して以下に説明する。
【００１６】
＜第１実施形態＞
図１は本発明の第１実施形態に係る情報記憶装置の概略構成を示すブロック図である。図１に示す情報記憶装置は、スマートフォンであって、記憶部１と、入力部兼表示部２と、音声入力部３と、音声出力部４と、カメラ部５と、無線通信部６と、内蔵アンテナ７と、制御部８とを備える。
【００１７】
記憶部１は、スマートフォンの通話機能や各種アプリケーションプログラムの実行機能などを制御部８に実行させるためのプログラムやデータと、文章メモ、音声メモ、画像メモなどの情報とを記憶する。
【００１８】
入力部兼表示部２は、例えばタッチパネルで構成され、ソフトウェアキーを表示した状態や手書き入力受付画面を表示した状態でユーザからのデータ入力を受け付けて、入力されたデータを制御部８に出力する機能と、制御部８から受け取った文字データ及び画像データに基づく表示を行う機能とを有する。
【００１９】
音声入力部３は、例えばマイクロフォンで構成され、外部から入力された音声を電気信号である音声信号に変換して制御部８に出力する。音声出力部４は、例えばスピーカで構成され、制御部８から受け取った電気信号である音声信号を音声に変換して外部に出力する。
【００２０】
カメラ部５は、静止画や動画の撮影を行い、画像データを制御部８に出力する。
【００２１】
無線通信部６は、他の携帯電話やスマートフォンまたはサーバから基地局や無線アクセスポイントを介して内蔵アンテナ７で受信した信号を制御部８に出力し、制御部８から受け取り基地局や無線アクセスポイントを介して他の携帯電話やスマートフォンまたはサーバへ送信する信号を内蔵アンテナ７から出力させる。
【００２２】
制御部８は、記憶部１に記憶されたプログラムに従って、記憶部１、入力部兼表示部２、音声入力部３、カメラ部５、または無線通信部６から受け取ったデータを処理して、記憶部１、入力部兼表示部２、音声出力部４、または無線通信部６に出力する。
【００２３】
図２は、本発明の第１実施形態に係る情報記憶装置の画面遷移を説明するための図である。画面ＩＤが「１０００」である「複数のアプリケーションプログラムのうちの１つを選択するためのメニュー画面」において、例えば、アプリケーションプログラム１が選択されると、画面ＩＤが「２０００」である「アプリケーション画面１」に遷移する。そして、「アプリケーション画面１」において、ユーザが所定の操作を行うと、所定の操作に対応するデータ画面、例えば画面ＩＤが「２００１」である「データ画面１」に遷移する。なお、画面ＩＤは各画面をそれぞれ識別するための識別番号である。画面ＩＤは、例えば各画面のプロパティ情報に含めるようにすればよい。各画面はそれぞれが新規に作成された時点での空き番号が画面ＩＤとして割り振られる。
【００２４】
次に、本発明の第１実施形態に係る情報記憶装置が実行するメモ登録処理について図３〜図１３を参照して説明する。図３は、本発明の第１実施形態に係る情報記憶装置が実行するメモ登録処理の一例の流れを示すフローチャートである。図４〜図８、図１０、図１２、及び図１３は入力部兼表示部２が表示する各画面である。なお、図４〜図８、図１０、図１２、及び図１３並びに後述する図１４〜図１６の各画面において同一の部分については同一の符号を付す。図９は関連付け登録に関するデータテーブルを示す図であり、図１１は「関連無しメモ」のデータベース構造例を示す図である。
【００２５】
ここでは、図４に示す画面、すなわち「＊＊＊＊＊」という文章メモが関連付けられて文章メモ表示欄１１に表示されているアプリケーション画面１が入力部兼表示部２に表示されている状態で、メモ開始キー１２が操作（タップ）されてメモ登録処理が開始される場合を例に挙げて説明する。
【００２６】
図３に示す画面が入力部兼表示部２に表示されている状態で、メモ開始キー１２が操作（タップ）されてメモ登録処理が開始されると、制御部８は、図５に示す文章メモ用手書き入力受付画面を入力部兼表示部２に表示させる。図５に示す文章メモ用手書き入力受付画面は、手書き入力領域１３と、入力文書メモ表示欄１４と、「関連付け登録」キー１５と、「関連無し登録」キー１６とによって構成されている。
【００２７】
ステップＳ１０において、制御部８は、手書き入力領域１３に手書き入力が有るか否かを判定する。
【００２８】
手書き入力領域１３に手書き入力が無いと判定された場合（ステップＳ１０のＮＯ）、後述するステップＳ４０に移行する。
【００２９】
一方、手書き入力領域１３に手書き入力が有ると判定された場合（ステップＳ１０のＹＥＳ）、制御部８は、入力部兼表示部２に、入力文書メモ表示欄１４の表示を更新させ（ステップＳ２０）、手書き入力領域１３の表示をリセットさせ（ステップＳ３０）、その後ステップＳ４０に移行する。
【００３０】
例えば、図５に示す文章メモ用手書き入力受付画面において「あ」という文字が手書き入力された場合、図５に示す画面から図６に示す画面に遷移し、その後ステップＳ２０の処理完了時点で図６に示す画面から図７に示す画面に遷移し、その後ステップＳ３０の処理完了時点で図７に示す画面から図８に示す画面に遷移する。
【００３１】
ステップＳ４０において、制御部８は、「関連付け登録」キー１５が操作（タップ）されたか否かを判定する。
【００３２】
「関連付け登録」キー１５が操作（タップ）されたと判定された場合（ステップＳ４０のＹＥＳ）、制御部８は、入力文書メモ表示欄１４に表示されている文章メモをメモ登録処理開始時の画面（本例では図４に示すアプリケーション画面１）と関連付けて記憶部１に記憶させ（ステップＳ５０）、メモ登録処理を終了する。画面に対応させる文章メモの表示をシンプルにする観点から、１画面に対応させる文章メモは１つにすることが望ましい。このため、本実施形態では、ある画面に既に対応している文章メモが登録されており、同一の画面に対応して追加の文章メモが登録された場合、既に記憶されている文章メモに追記する形式で追加の文章メモを登録する。
【００３３】
したがって、図８に示す画面において、「関連付け登録」キー１５が操作（タップ）された場合、ステップＳ５０の処理完了時点で、記憶部１に記憶されている関連付け登録に関するデータテーブルは図９に示すように更新されるとともに、図８に示す画面から図１０に示す画面に遷移する。
【００３４】
一方、「関連付け登録」キー１５が操作（タップ）されていないと判定された場合（ステップＳ４０のＮＯ）、制御部８は、「関連無し登録」キー１６が操作（タップ）されたか否かを判定する（ステップＳ６０）。
【００３５】
「関連無し登録」キー１６が操作（タップ）されたと判定された場合（ステップＳ６０のＹＥＳ）、制御部８は、入力文書メモ表示欄１４に表示されている文章メモを「関連無しメモ」として記憶部１に記憶させ（ステップＳ７０）、メモ登録処理を終了する。「関連無しメモ」は登録毎に別々のメモとして取り扱うため、登録件数に特に制限を設けないことが望ましい。なお、記憶部１のデータ容量などを考慮して、最大登録件数を設定するようにしてもよい。
【００３６】
「関連無しメモ」の登録件数が多くなれば、所望のメモに早く探し出すために検索の必要が出てくる。そこで、「関連無しメモ」のデータベース構造を例えば図１１のようにする。図１１に示すデータベース構造例では、「関連無しメモ」のメモ本体に、登録日時情報、登録場所情報、及び登録処理開始時の画面情報を附属させている。これにより、登録日時情報、登録場所情報、又は登録処理開始時の画面情報を用いた「関連無しメモ」の検索が可能になる。登録日時情報の附属は、制御部８がカレンダ機能及び時計機能を有することで容易に実現することができる。登録場所情報の附属は、本発明の第１実施形態に係る情報記憶装置がＧＰＳ受信機能等を有することで容易に実現することができる。なお、場所情報は、例えば、ＧＰＳ受信機能等を利用して得られた位置情報からジオコーディングサービス等により求まる地名（例えば日本国内であれば市町村単位程度、国外であれば国名程度でもよい）にすればよい。登録処理開始時の画面情報には、画面ＩＤを用いるとよい。
【００３７】
図８に示す画面において、「関連無し登録」キー１５が操作（タップ）された場合、ステップＳ７０の処理完了時点で、「関連無しメモ」の登録件数が１件増加するとともに、図８に示す画面から図４に示す画面に遷移する。
【００３８】
なお、上述した例とは異なり、図１２に示す画面、文章メモが関連付けられていないアプリケーション画面３が入力部兼表示部２に表示されている状態で、メモ開始キー１２が操作（タップ）されてメモ登録処理が開始され、「あ」という文章メモが登録される場合、文章メモの関連付け登録が実行されればメモ登録処理終了時に図１３に示す画面になり、文章メモの関連無し登録が実行されればメモ登録処理終了時に図１２に示す画面になる。
【００３９】
次に、「関連無しメモ」の表示例を図１４〜図１６を参照して説明する。図１４〜図１６は入力部兼表示部２が表示する各画面である。
【００４０】
図１４に示す各種アプリケーションプログラムのアイコンを有するメニュー画面において、定型メモアプリケーションプログラムのアイコン１７が操作（タップ）されると、定型メモアプリケーションプログラムが起動して、図１４に示す画面から図１５に示す画面に遷移する。
【００４１】
図１５に示す画面は、「関連無しメモ」の一覧表示画面の一例であり、メモ開始キー１２と、メモの見出し１８と、表示キー１９と、スクロールバー２０とを有している。メモの見出し１８は、メモ本体の先頭部分であるが、メモ本体が短い場合はメモ本体の全体と一致する。
【００４２】
図１５に示す画面において、一番上の表示キー１９が操作（タップ）されると、図１５に示す画面から図１６に示す画面に遷移して、操作（タップ）された表示キー１９に対応する「関連無しメモ」の全文２０、閉じるキー２１、及び附属情報（登録日時情報２２、登録場所情報２３、登録処理開始時の画面情報２４）が表示される。なお、図１６に示す画面において、閉じるキー２１が操作（タップ）されると、図１５に示す画面に戻る。
【００４３】
上記のような動作により、登録処理開始時の画面と関連付けして表示させたい「関連付けメモ」は特許文献１の携帯電話と同じように、登録処理開始時の画面と一緒に表示させることができるとともに、登録処理開始時の画面と関連付ける必要の無い「関連無しメモ」は登録処理開始時の画面に遷移せずに閲覧することが可能となるので、特許文献１の携帯電話に比べて、情報（メモ）の閲覧において、ユーザの利便性を向上させることができる。
【００４４】
なお、入力部兼表示部２が表示可能な全ての画面において、メモ登録処理が開始可能であることが望ましい。ただし、一部の画面においてメモ登録処理が開始できない（例えばメモ開始キー１２が表示されない）構成であっても構わない。また、上述した実施形態では、「関連付けメモ」及び「関連無しメモ」を文章メモとしたが、音声メモや画像メモ等であっても構わない。また、上述した実施形態では、入力部として表示部を兼ねているタッチパネルを用いたが、表示部とは独立した入力部を用いても構わない。また、汎用コンピュータ（例えばパーソナルコンピュータ）を本発明の第１実施形態に係る情報記憶装置として機能させるための情報記憶プログラムを汎用コンピュータにインストールしても構わない。この場合、情報記憶プログラムはネットワークを介して汎用コンピュータに供給されてもよく、ＣＤ−ＲＯＭ等の記憶媒体に記憶されて汎用コンピュータに供給されてもよい。
【００４５】
＜第２実施形態＞
本発明の第２実施形態に係る情報記憶装置は、「関連無しメモ」を記憶部１に記憶させるのではなく、無線通信部６及び内蔵アンテナ７を用いて、「関連無しメモ」を所定の外部サーバに記憶させる点を除いて、本発明の第１実施形態に係る情報記憶装置と同一の動作を行う。
【００４６】
本発明の第２実施形態に係る情報記憶装置は、「関連無しメモ」を閲覧する場合に所定の外部サーバとの通信が必要となるが、「関連無しメモ」を他の装置との間で共有し易くなる等の利点を有する。
【００４７】
＜第３実施形態＞
本発明の第３実施形態に係る情報記憶装置は、関連付け登録に関するデータテーブルを記憶部１に記憶させるのではなく、無線通信部６及び内蔵アンテナ７を用いて、関連付け登録に関するデータテーブルを所定の外部サーバに記憶させる点を除いて、本発明の第２実施形態に係る情報記憶装置と同一の動作を行う。
【００４８】
本発明の第３実施形態に係る情報記憶装置は、「関連無しメモ」及び「関連付けメモ」を閲覧する場合に所定の外部サーバとの通信が必要となるが、「関連無しメモ」及び「関連付けメモ」を他の装置との間で共有し易くなる等の利点を有する。
【００４９】
＜その他＞
以上、本発明の実施形態につき説明したが、本発明の範囲はこれに限定されるものではなく、発明の主旨を逸脱しない範囲で種々の変更を加えて実施することができる。
【符号の説明】
【００５０】
１  記憶部
２  入力部兼表示部
３  音声入力部
４  音声出力部
５  カメラ部
６  無線通信部
７  内蔵アンテナ
８  制御部
１１  文章メモ表示欄
１２  メモ開始キー
１３  手書き入力領域
１４  入力文書メモ表示欄
１５  「関連付け登録」キー
１６  「関連無し登録」キー
１７  定型メモアプリケーションプログラムのアイコン
１８  メモの見出し
１９  表示キー
２０  操作（タップ）された表示キーに対応する「関連無しメモ」の全文
２１  閉じるキー
２２  登録日時情報
２３  登録場所情報
２４  登録処理開始時の画面情報
【図１】
2014026577.tif 000003
【図２】
2014026577.tif 000004
【図３】
2014026577.tif 000005
【図４】
2014026577.tif 000006
【図５】
2014026577.tif 000007
【図６】
2014026577.tif 000008
【図７】
2014026577.tif 000009
【図８】
2014026577.tif 000010
【図９】
2014026577.tif 000011
【図１０】
2014026577.tif 000012
【図１１】
2014026577.tif 000013
【図１２】
2014026577.tif 000014
【図１３】
2014026577.tif 000015
【図１４】
2014026577.tif 000016
【図１５】
2014026577.tif 000017
【図１６】
2014026577.tif 000018